(57)【要約】【課題】  ゴミ袋を容易に装着することができ、且つ、ゴミ袋をワンタッチで開口させることができ、さらには、ゴミ捨て作業も片手で容易に操作することができるゴミ袋ホルダー及びその操作方法を提供すること。【解決手段】  本発明のゴミ袋ホルダーは、枢軸を中心として水平方向に回動する一対のアームと、前記枢軸に装着された吸着部とからなり、前記アームの長手方向中央に、ゴミ袋の開口周縁を挟持する挟持部を形成したことを特徴とする。  また前記アームの先端に、挟持部に連接した幅広の挿入口を形成し、吸着部を枢軸に対して回動自在に遊着するとともに、挟持部に凹凸部を形成した。  また略平行状態とした一対のアームの挿入口近傍にゴミ袋の開口周縁を挟持させ、アーム間のゴミ袋を枢軸方向に移行させた後、前記一対のアームを外側方向に回動させることを特徴とするゴミ袋ホルダーの操作方法。【選択図】図１
2017160043.tif 000002
【特許請求の範囲】
【請求項１】
枢軸を中心として水平方向に回動する一対のアームと、前記枢軸に装着された吸着部とからなるゴミ袋ホルダーであって、前記アームの長手方向中央に、ゴミ袋の開口周縁を挟持する挟持部を形成したことを特徴とするゴミ袋ホルダー。
【請求項２】
前記アームの先端に、挟持部に連接した幅広の挿入口を形成した請求項１記載のゴミ袋ホルダー。
【請求項３】
前記吸着部を枢軸に対して回動自在に遊着した請求項１又は２記載のゴミ袋ホルダー。
【請求項４】
前記挟持部に凹凸部を形成した請求項１乃至３のうちいずれか一項に記載のゴミ袋ホルダー。
【請求項５】
前記アームの少なくとも一方に装飾体を設置した請求項１乃至４のうちいずれか一項に記載のゴミ袋ホルダー。
【請求項６】
略平行状態とした一対のアームの挿入口近傍にゴミ袋の開口周縁を挟持させ、アーム間のゴミ袋の開口周縁を枢軸方向に移行させた後、前記一対のアームを外側方向に回動させることを特徴とするゴミ袋ホルダーの操作方法。
【請求項７】
前記一対のアームを外側方向に回動させた後にゴミ袋内にゴミを収容させ、前記枢軸と対向するゴミ袋の開口周縁を枢軸方向に移行させ、アームを平行状態に保持する請求項６記載のゴミ袋ホルダーの操作方法。
【発明の詳細な説明】
【技術分野】
【０００１】  本発明は、ワンタッチで容易に、且つ確実にゴミ袋を装着及び開口させることができ、さらにはゴミ袋の開口部をワンタッチで閉口することができるゴミ袋ホルダー及びその操作方法に関する。
【背景技術】
【０００２】  一般的に、台所のシンクには生ゴミ等を捨てるための三角形状のゴミ入れが配置されている。また前記ゴミ入れには、ポリ袋やネット状のゴミ袋が装着され、ゴミ入れ内のゴミが一定量になった際はゴミ袋のみを廃棄する。【０００３】  また三角コーナーを使わずに、生ゴミを衛生的に処理する、生ゴミネットと取り付け具がある（例えば特許文献１参照）。【０００４】  上掲特許文献１の生ゴミネットと取り付け具は、イ．ネット（１）の開口部を外側に折って縫い付け、その一辺にビニールの袋（２）を折りたたんで取り付ける。
ロ．二本の棒（３）を上下からとめ具（４）、とめ具（５）、とめ具（６）でとめて、吸盤（７）に取り付ける。
ハ．二本の棒（３）を、ネット（１）の開口部を外側にはさむ。
ニ．二本の棒（３）の先を吸盤（８）の凹の部分にはさむ。
ことが開示されている。
【先行技術文献】
【特許文献】
【０００５】
【特許文献１】特開平１１−３４３００４号公報
【発明の概要】
【発明が解決しようとする課題】
【０００６】  しかしながら、上掲特許文献１の生ゴミネットと取り付け具は、ネットの開口部を外側に折って縫い付け、その一辺にビニールの袋を折りたたんで取り付けるため、構造が複雑になるとともに、装着時に煩わしい手間がかかった。【０００７】  そこで本発明は上記の点に鑑み、ゴミ袋を容易に装着することができ、且つ、ゴミ袋をワンタッチで開口させることができ、さらには、ゴミ捨て作業も片手で容易に操作することができるゴミ袋ホルダー及びその操作方法を提供することにある。
【解決を解決するための手段】
【０００８】  上記課題を解決するために本発明のゴミ袋ホルダーは、枢軸を中心として水平方向に回動する一対のアームと、前記枢軸に装着された吸着部とからなるゴミ袋ホルダーであって、前記アームの長手方向中央に、ゴミ袋の開口周縁を挟持する挟持部を形成したことを特徴とする。
【０００９】  また前記アームの先端に、挟持部に連接した幅広の挿入口を形成した。
【００１０】  また、前記吸着部を枢軸に対して回動自在に遊着した。
【００１１】  また、前記挟持部に凹凸部を形成した。
【００１２】  さらに、前記アームの少なくとも一方に装飾体を設置した。
【００１３】  略平行状態とした一対のアームの挿入口近傍にゴミ袋の開口周縁を挟持させ、アーム間のゴミ袋の開口周縁を枢軸方向に移行させた後、前記一対のアームを外側方向に回動させることを特徴とするゴミ袋ホルダーの操作方法。
【００１４】  前記一対のアームを外側方向に回動させた後にゴミ袋内にゴミを収容させ、前記枢軸と対向するゴミ袋の開口周縁を枢軸方向に移行させ、アームを平行状態に保持するゴミ袋ホルダーの操作方法。
【発明の効果】
【００１５】  本発明によれば、枢軸を中心として水平方向に回動する一対のアームと、前記枢軸に装着された吸着部とからなるゴミ袋ホルダーであって、前記アームの長手方向中央に、ゴミ袋の開口周縁を挟持する挟持部を形成したことにより、ゴミ袋の装着を容易行うことができ、且つ、ゴミ袋をワンタッチで開口させることが可能となる。また、ゴミ捨て作業も片手で容易に操作することができる。
【図面の簡単な説明】
【００１６】
【図１】本発明のゴミ袋ホルダーの全体斜視図である。
【図２】アームを展開した状態の斜視図である。
【図３】挟持部にゴミ袋の開口周縁を挿入した状態である。
【図４】ゴミ袋の開口周縁を枢軸方向に移行した状態である。
【図５】アームを展開した状態である。
【図６】ゴミ袋内にゴミを収容した状態である。
【図７】ゴミを収容したゴミ袋の開口周縁を枢軸方向に移行した状態である。
【図８】アームを平行状態に戻した状態である。
【図９】アームを水平方向に回動させた状態である。
【図１０】アームに装飾体を設置した状態である。
【図１１】台所のシンクに装着した使用状態である。
【図１２】壁面に装着した使用状態である。
【発明を実施するための形態】
【００１７】  本発明のゴミ袋ホルダーは、ゴミ袋を容易に装着することができ、且つ、ゴミ袋をワンタッチで開口させることができ、さらには、ゴミ捨て作業も片手で容易に操作することができることを特徴とする。なお、ゴミ袋は市販のゴミ袋やネット袋が使用できるとともに、スーパーの買い物袋も使用できる。
以下、本発明のゴミ袋ホルダー及びその操作方法を図面に基づいて説明する。
【００１８】  図１及び図２に示すゴミ袋ホルダー１は、台所のシンク等に使用され、生ゴミ等を捨てるためのゴミ袋を装着するもので、枢軸２を中心として水平方向に回動する一対のアーム３，４と、前記枢軸２に装着された吸着部５とからなる。
【００１９】  前記ゴミ袋ホルダー１は、軽量で防水性を有し、かつ低廉価で量産が可能なプラスチック樹脂等の素材で形成することが好ましい。また前記吸着部５は、シンクの側面やキッチンの側壁に装着できる吸盤等が好適に使用される。
【００２０】  また前記アーム３，４の長手方向中央には、ゴミ袋Ａの開口周縁ａを挟持するための挟持部６，７が形成されている。挟持部６，７は、アーム３，４の先端近傍から枢軸２の近傍まで長手方向に形成されている。
【００２１】  また、前記挟持部６，７には凹凸部８，９が形成されている。前記凹凸部８，９は凹凸状、若しくは山切状を呈しており、この凹凸部８，９にゴミ袋Ａの周縁ａを挟持させることで、ゴミ袋Ａのズレ落ち等を防ぐとともに、挟持部６，７を開口させた際でも脱落することが軽減される。
【００２２】  また前記アーム３，４の先端には、挟持部６，７に連接されている幅広の挿入口１０，１１が形成されている。挿入口１０には外側に湾曲された湾曲部１２，１２´が、挿入口１１には外側に湾曲された湾曲部１３，１３´が形成されている。そのため、ゴミ袋Ａの開口周縁ａを挿入口１０，１１へ挿入することが極めて容易になる。
【００２３】  また他の好適例として、前記吸着部５を枢軸２に対して回動自在に遊着することが好ましい。吸着部５を枢軸２に対して回動自在に遊着することにより、図９に示すように、アーム３，４を任意の位置に配置させることができ、使用勝手が向上し使用範囲を広げることができる。
【００２４】  また、吸着部５を枢軸２に対して回動自在に遊着することで、図１１に示すように、シンク３０のコーナー部分に、または台所等の壁面３１に容易に装着することができる。
【００２５】  また他の好適例として、図１０に示すように、前記アーム３，４の少なくとも一方に装飾体２０を設置することができる。装飾体２０は様々なデザイン（図中魚）からなり、前記アーム３，４の少なくとも一方に一体的に、若しくは着脱自在に装着されている。そのことにより、使用の際の外観的美観を向上させることが可能となる。
【００２６】  また他の好適例として、本発明のゴミ袋ホルダー１はスタンド（図示せず）を用いて使用することもできる。前記ゴミ袋ホルダー１をスタンドに装着することで、シンクを有効に使用できるとともに、ゴミ袋ホルダー１の移動も可能となる。
【００２７】  次に、本発明のゴミ袋ホルダー１の操作方法を図３乃至図８に基づいて説明する。
先ず図３に示すように、略平行状態とした一対のアーム３，４の挿入口１０，１１近傍にゴミ袋Ａの開口周縁ａを挟持させる。
【００２８】  次に図４に示すように、アーム３，４間に指を配置させ、アーム３，４間のゴミ袋ａの開口周縁ａを枢軸２方向に移行させる。この時ゴミ袋Ａの開口周縁ａは、前記挟持部６，７の凹凸部８，９に沿ってスライドしながら枢軸２方向に移行がされる。
【００２９】  ゴミ袋Ａの開口周縁ａを枢軸２方向に移行した後、図５に示すように、アーム３，４を枢軸２を中心に左右方向に展開させる。アーム３，４を左右方向に展開させることにより、ゴミ袋Ａはワンタッチで開口させることができる。
【００３０】  また図６に示すように、ゴミ袋Ａ内にゴミＢを収容させた後、図７に示すように、枢軸２と対向するゴミ袋Ｂの開口周縁ａ部分を枢軸２方向に移行させる。開口周縁ａを枢軸２方向に移行させた後、図８に示すように、アーム３，４を平行状態に戻す。そのことにより、ゴミ袋Ａの開口部をワンタッチで閉口させることができ、虫の侵入や匂の発生を防ぐことができる。
【符号の説明】
【００３１】１    ゴミ袋ホルダー
２    枢軸
３    アーム
４    アーム
５    吸着部
６    挟持部
７    挟持部
８    凹凸部
９    凹凸部
１０  挿入口
１１  挿入口
１２  湾曲部
１３  湾曲部
２０  装飾体
３０  シンク
３１  壁面
Ａ    ゴミ袋
ａ    開口周縁
Ｂ    ゴミ
【図１】
2017160043.tif 000003
【図２】
2017160043.tif 000004
【図３】
2017160043.tif 000005
【図４】
2017160043.tif 000006
【図５】
2017160043.tif 000007
【図６】
2017160043.tif 000008
【図７】
2017160043.tif 000009
【図８】
2017160043.tif 000010
【図９】
2017160043.tif 000011
【図１０】
2017160043.tif 000012
【図１１】
2017160043.tif 000013
【図１２】
2017160043.tif 000014